【手続補正書】
【提出日】平成19年8月3日(2007.8.3)
【手続補正１】
【補正対象書類名】特許請求の範囲
【補正対象項目名】全文
【補正方法】変更
【補正の内容】
【特許請求の範囲】
【請求項１】
少なくとも約１０００ｐｓｉの積層体接着強さを有する装飾積層体を得るための方法であって、（１）エチレンとメタクリル酸とのコポリマーイオノマー、またはエチレンとアクリル酸とのコポリマーイオノマーを含む中間層シートの少なくとも１つの表面の上に着色インクを「インクジェット」印刷して画像担持中間層シートを得る工程であって、前記中間層が６０ミル（１．５２４ｍｍ）以下の厚さおよびＡＳＴＭ  Ｄ５０２６−９５ａによって測定した時に０．３Ｈｚおよび２５℃において約１００ＭＰａ〜約１，０００ＭＰａの貯蔵ヤング率を有する工程と、（２）前記画像担持中間層シートを透明な材料のシートの間に積層して装飾積層体を得る工程と、を含み、顔料性インクが、ＰＹ１３９、ＰＹ１２０、ＰＹ１５５、ＰＹ１４、ＰＹ１１０、ＰＹ１２８、ＰＹ１８０、ＰＹ９５、ＰＹ９３、ＰＶ１９／ＰＲ２０２、ＰＲ１２２、ＰＢ１５：４、ＰＢ１５：３、およびＰＢＩ７からなる群から選択される少なくとも１つの顔料を含むことを特徴とする方法。
【請求項２】
前記画像担持中間層が約０．３８ｍｍ以下の厚さを有し、前記画像担持中間層が、１つまたは複数の他の中間層シートを積層されて約０．４０ｍｍ〜約２．２９ｍｍの全厚さを有する複合中間層をもたらすことを特徴とする請求項１に記載の方法。
【請求項３】
前記他の中間層が、ポリビニルブチラール、ポリウレタン、エチレン／アクリル酸コポリマーイオノマー、エチレン／（メタ）アクリル酸コポリマーイオノマー、およびエチレン／（メタ）アクリル酸／アルキルアクリレートターポリマーからなる群のポリマーから選択される熱可塑性ポリマーを含むことを特徴とする請求項２に記載の方法。
【請求項４】
画像が、ドロップオンデマンドインクジェット印刷方法を用いて印刷されることを特徴とする請求項３に記載の方法。
【請求項５】
前記ドロップオンデマンド方法がピエゾ電気方法であることを特徴とする請求項４に記載の方法。
【請求項６】
前記ドロップオンデマンド方法がサーマルインクジェット印刷方法であることを特徴とする請求項５に記載の方法。
【請求項７】
サーマルインクジェット印刷方法が、連続ドロップインクジェット印刷方法であることを特徴とする請求項６に記載の方法。
【請求項８】
透明材料のシートの間に画像担持中間層シートを含む装飾積層体であって、
前記画像担持中間層シートは、エチレンとメタクリル酸とのコポリマーイオノマー、またはエチレンとアクリル酸とのコポリマーイオノマーを含み、
前記積層体は、少なくとも１０００ｐｓｉの圧縮剪断強度を有し、
前記画像担持中間層シートは、６０ミル（１．５２４ｍｍ）以下の厚さおよびＡＳＴＭ  Ｄ５０２６−９５ａによって測定した時に０．３Ｈｚおよび２５℃において約１００ＭＰａ〜約１，０００ＭＰａの貯蔵ヤング率を有し、
前記装飾積層体は、（１）中間層シートの少なくとも１つの表面の上に着色インクを「インクジェット」印刷して画像担持中間層シートを得る工程、
（２）前記画像担持中間層シートを透明な材料のシートの間に積層して装飾積層体を得る工程と、を含み、顔料性インクが、ＰＹ１３９、ＰＹ１２０、ＰＹ１５５、ＰＹ１４、ＰＹ１１０、ＰＹ１２８、ＰＹ１８０、ＰＹ９５、ＰＹ９３、ＰＶ１９／ＰＲ２０２、ＰＲ１２２、ＰＢ１５：４、ＰＢ１５：３、およびＰＢＩ７からなる群から選択される少なくとも１つの顔料を含むこと、を特徴とする装飾積層体。
【請求項９】
画像担持中間層が、少なくとも１つの他の中間層の少なくとも１つの付加的なシートを積層されて画像担持複合中間層を製造し、前記少なくとも１つの付加的な中間層シートが、前記複合中間層の全厚さが約０．４０ｍｍ〜約２．２９ｍｍの範囲内になる程度に十分な厚さを有し、前記画像担持複合中間層が、透明な材料のシートの間に積層されることを特徴とする請求項８に記載の積層体。
【請求項１０】
画像をエチレンとメタクリル酸とのコポリマーイオノマー、またはエチレンとアクリル酸とのコポリマーイオノマーを含む硬質熱可塑性中間層シート上に印刷するための方法であって、少なくとも１つのインクを前記熱可塑性基材の表面の上に印刷して画像担持中間層シートを得る工程を含み、前記少なくとも１つのインクが熱可塑性基材上に印刷するための紫外線硬化性インクを含み、前記中間層が、ＡＳＴＭ  Ｄ５０２６−９５ａによって測定した時に０．３Ｈｚおよび２５℃において約１００ＭＰａ（メガパスカル）〜約１，０００ＭＰａの貯蔵ヤング率を有することを特徴とする方法。
【請求項１１】
前記印刷方法が、インクジェット印刷またはスクリーン印刷のどちらかであることを特徴とする請求項１０に記載の方法。
【請求項１２】
中間層シートの少なくとも１つの表面の上に画像を担持する熱可塑性中間層シートであって、前記画像担持中間層が、エチレンとメタクリル酸とのコポリマーイオノマー、またはエチレンとアクリル酸とのコポリマーイオノマーを含み、且つ、ＡＳＴＭ  Ｄ５０２６−９５ａによって測定した時に０．３Ｈｚおよび２５℃において５０〜１，０００ＭＰａの貯蔵ヤング率を有することを特徴とする熱可塑性中間層シート。
【請求項１３】
透明な材料のシートの間に硬質中間層シートを含む装飾積層体であって、前記中間層シートは、エチレンとメタクリル酸とのコポリマーイオノマー、またはエチレンとアクリル酸とのコポリマーイオノマーを含み、且つ、少なくとも１つの表面の上に画像を担持し、前記中間層シートはＡＳＴＭ  Ｄ５０２６−９５ａによって測定した時に０．３Ｈｚおよび２５℃において５０〜１，０００ＭＰａ（メガパスカル）の貯蔵ヤング率を有することを特徴とする装飾積層体。
【請求項１４】
透明な材料のシートの少なくとも１つがガラスであることを特徴とする請求項１３に記載の積層体。
【請求項１５】
透明な材料のシートの複数がガラスであることを特徴とする請求項１４に記載の積層体。
【請求項１６】
前記画像担持中間層が６０ミル（１．５２４ｍｍ）以下の厚さを有することを特徴とする請求項１５に記載の積層体。
【請求項１７】
前記画像担持中間層が０．３８ｍｍ以下の厚さを有することを特徴とする請求項１６に記載の積層体。
【請求項１８】
前記中間層が、画像担持中間層と少なくとも１つの付加的な中間層シートとを含む複合中間層であり、前記複合中間層の全厚さが約０．４０ｍｍ〜約２．２９ｍｍであることを特徴とする請求項１７に記載の積層体。
【請求項１９】
少なくとも１つの表面の上に色素性インクを含有する画像を担持する画像担持硬質中間層シートを含有する装飾積層体を含む物品であって、
前記画像担持硬質中間層シートは透明の材料のシートの間にあり、前記画像担持硬質中間層シートは、エチレンとメタクリル酸とのコポリマーイオノマー、またはエチレンとアクリル酸とのコポリマーイオノマーを含み、硬質中間層シートがＡＳＴＭ  Ｄ５０２６−９５ａによって測定した時に０．３Ｈｚおよび２５℃において５０〜１，０００ＭＰａの貯蔵ヤング率を有することを特徴とする物品。
【請求項２０】
陸路、空路または水路による輸送のために用いられる乗り物、建築構造要素、家具、画面、標識、掲示板、店頭ウインドウ、図版、そして装飾用アクセサリからなる群の物品から選択されることを特徴とする請求項１９に記載の物品。
【請求項２１】
透明の材料のシートがガラスであることを特徴とする請求項９に記載の積層体。
【請求項２２】
前記画像担持中間層の厚さが少なくとも約０．２５ｍｍであることを特徴とする請求項１６に記載の積層体。
【請求項２３】
前記画像担持中間層の厚さが少なくとも約０．２５ｍｍであることを特徴とする請求項１に記載の方法。
【請求項２４】
前記画像担持中間層の厚さが少なくとも約０．２５ｍｍであることを特徴とする請求項１７に記載の積層体。
【請求項２５】
前記画像担持中間層の厚さが約０．０１ｍｍ〜約０．４ｍｍであることを特徴とする請求項１に記載の方法。
【請求項２６】
前記画像担持中間層の厚さが約０．２５ｍｍ〜約０．３８ｍｍであることを特徴とする請求項１に記載の方法。
【請求項２７】
前記中間層は、画像担持中間層と、少なくとも一つの追加の中間シートとを含む複合中間層であり、複合中間層の全厚さは約０．４０ｍｍ〜約２．２９ｍｍであることを特徴とする請求項２３に記載の方法。
【請求項２８】
上に印刷される中間シートの表面の表面粗さ（Ｒｚ）は５〜１５μｍであることを特徴とする請求項１に記載の方法。
【請求項２９】
前記画像が色素性インクを含むことを特徴とする請求項１２に記載の熱可塑性中間層シート。
【請求項３０】
前記画像が色素性インクを含むことを特徴とする請求項１３に記載の装飾積層体。
【手続補正２】
【補正対象書類名】明細書
【補正対象項目名】０００９
【補正方法】変更
【補正の内容】
【０００９】
別の態様において、本発明は、中間層シートの少なくとも１つの表面の上に画像を担持する熱可塑性中間層シートであり、硬質中間層シートをインクジェットプリンタを通して供給し、画像を前記シート上にインクジェット印刷する工程を含む方法によって画像が前記シート上に印刷され、中間層が、ＡＳＴＭ  Ｄ５０２６−９５ａによって測定した時に０．３Ｈｚおよび２５℃において５０〜１，０００ＭＰａ（メガパスカル）の貯蔵ヤング率を有する。
本発明は、少なくとも約１０００ｐｓｉの積層体接着強さを有する装飾積層体を得るための方法であって、（１）中間層シートの少なくとも１つの表面の上に着色インクを「インクジェット」印刷して画像担持中間層シートを得る工程であって、前記中間層が６０ミル（１．５２４ｍｍ）以下の厚さおよびＡＳＴＭ  Ｄ５０２６−９５ａによって測定した時に０．３Ｈｚおよび２５℃において約１００ＭＰａ（メガパスカル）〜約１，０００ＭＰａの貯蔵ヤング率を有する工程と、（２）前記画像担持中間層シートを透明な材料のシートの間に積層して装飾積層体を得る工程と、を含み、顔料が、ＰＹ１３９、ＰＹ１２０、ＰＹ１５５、ＰＹ１４、ＰＹ１１０、ＰＹ１２８、ＰＹ１８０、ＰＹ９５、ＰＹ９３、ＰＶ１９／ＰＲ２０２、ＰＲ１２２、ＰＢ１５：４、ＰＢ１５：３、およびＰＢＩ７からなる群から選択される少なくとも１つの顔料を含むことを特徴とする方法に関するものでもある。好ましくは、硬質中間層が、エチレンとメタクリル酸またはエチレンとアクリル酸のどちらかのコポリマーイオノマーを含む。本発明は、上記方法によって得られ、少なくとも１０００ｐｓｉの圧縮剪断強度を有する装飾積層体に関するものでもある。好ましくは、前記画像担持中間層は、少なくとも１つの他の中間層の少なくとも一つの追加シートと積層されて画像担持中間層複合体を生成し、前記少なくとも一つの追加シートの厚さは、前記複合中間層の全厚さが約０．４０ｍｍ〜約２．２９ｍｍの範囲になるように十分な厚さを有し、前記画像担持中間層複合体は、更に少なくとも一つのガラスシートと積層されている。
上記段落に記載の方法の好ましい態様は、前記画像担持中間層が約０．３８ｍｍ以下の厚さを有し、前記画像担持中間層は、一つまたは複数の中間シートと積層されて、全厚さが約０．４０ｍｍ〜約２．２９ｍｍの複合中間層を生じさせる。好ましくは、前記他の中間層が、ＰＶＢ、ＰＥＴ、ＰＵＲ、ＰＣ、ＰＶＣ、エチレン／（メタ）アクリル酸コポリマーイオノマー、エチレン／（メタ）アクリル酸／アルキルアクリレートターポリマーからなる群のポリマーから選択される熱可塑性ポリマーを含む。好ましくは、画像が、ドロップオンデマンド（ＤＯＤ）インクジェット印刷方法を用いて印刷される。一つの好ましい態様では、前記ＤＯＤ方法はピエゾ電気方法である。別の好ましい態様では、前記ＤＯＤ方法はサーマルインクジェット印刷方法であり、好ましくは、前記画像は、連続ドロップインクジェット印刷方法を用いて印刷される。
【手続補正３】
【補正対象書類名】明細書
【補正対象項目名】００１２
【補正方法】変更
【補正の内容】
【００１２】
さらに別の態様において、本発明は、中間層シートの少なくとも１つの表面の上に画像を担持する硬質中間層シートを含む装飾積層体であり、中間層が、ＡＳＴＭ  Ｄ５０２６−９５ａによって測定した時に０．３Ｈｚおよび２５℃において５０〜１，０００ＭＰａ（メガパスカル）の貯蔵ヤング率を有する。好ましくは、積層体は少なくとも１つのガラスシートを含む。一つの好ましい態様では、積層体は少なくとも２つのガラスシートを含む。好ましくは、前記画像担持中間層が６０ミル（１．５２４ｍｍ）以下の厚さを有する。より好ましくは、前記画像担持中間層が０．３８ｍｍ以下の厚さを有する。好ましくは、前記中間層は、画像担持中間層と少なくとも１つの付加的な中間層シートとを含む複合中間層であり、前記複合中間層の全厚さが約０．４０ｍｍ〜約２．２９ｍｍである。
本発明は、画像を硬質熱可塑性中間層基材上に印刷するための方法であって、少なくとも１つのインクを前記熱可塑性基材の表面の上に印刷して画像担持中間層シートを得る工程を含み、前記少なくとも１つのインクが熱可塑性基材上に印刷するための紫外線硬化性インクを含み、前記中間層が、ＡＳＴＭ  Ｄ５０２６−９５ａによって測定した時に０．３Ｈｚおよび２５℃において約１００ＭＰａ（メガパスカル）〜約１，０００ＭＰａの貯蔵ヤング率を有することを特徴とする方法にも関するものである。好ましくは、前記印刷方法が、インクジェット印刷またはスクリーン印刷のどちらかである。
更に本発明は、中間層シートの少なくとも１つの表面の上に画像を担持する硬質中間層シートを含む装飾積層体を含む物品であって、前記中間層が、ＡＳＴＭ  Ｄ５０２６−９５ａによって測定した時に０．３Ｈｚおよび２５℃において５０〜１，０００ＭＰａ（メガパスカル）の貯蔵ヤング率を有することを特徴とする物品に関するものである。好ましくは、前記物品は、陸路、空路または水路による輸送のために用いられる乗り物、建築構造要素、家具、画面、標識、掲示板、店頭ウインドウ、図版、そして装飾用アクセサリからなる群の物品から選択される物品である。